(57)【特許請求の範囲】
【請求項１】
複数種類の電圧値のうちのいずれかの電圧値の測定信号を用いて絶縁抵抗値を測定する測定部と、指定された電圧値の前記測定信号を用いた前記絶縁抵抗値の測定を前記測定部に実行させる制御部と、前記複数種類の電圧値についての指定の許容および解除を行うための操作部とを備え、
前記制御部は、前記操作部によって前記指定を許容された電圧値に対応する文字列を表示部に表示させると共に当該操作部によって前記指定の許容を解除された電圧値に対応する文字列を当該表示部に非表示とさせ、かつ前記指定を許容された電圧値が指定されたときにのみ当該指定された電圧値の測定信号を用いた前記測定を前記測定部に実行させる絶縁抵抗測定装置。
【発明の詳細な説明】
【技術分野】
【０００１】
本発明は、複数種類の電圧値のうちから利用者によって指定された電圧値の測定信号を用いて絶縁抵抗値を測定可能に構成された絶縁抵抗測定装置に関するものである。
【背景技術】
【０００２】
この種の絶縁抵抗測定装置として、電気製品等の絶縁抵抗値を測定可能に構成されたメモリ式絶縁抵抗測定装置（以下、「測定装置」ともいう）が特開平１０−２８８６３６号公報に開示されている。この測定装置は、所定電圧値の測定信号を用いて絶縁抵抗値を測定する絶縁抵抗測定部と、装置各部の制御や抵抗値の演算処理を実行するマイコン部と、測定結果（演算処理結果）を表示する液晶表示器と、各種切換え操作用の操作キーを有するキー操作部とを備えている。また、絶縁抵抗測定部は、電気製品（測定対象体）の仕様に応じて、例えば、１０００Ｖ、５００Ｖ、２５０Ｖおよび１００Ｖの４種類の電圧値の測定信号を出力可能に（４つのレンジのうちのいずれかでの測定処理が可能に）構成されている。この場合、この測定装置では、電気製品の仕様に応じて予め規定されたレンジに自動設定する自動モードと、キー操作部の操作によって指定されたレンジに手動設定する手動モードとのいずれかによってレンジの切り換え（使用する測定信号の電圧値の指定）が可能に構成されている。
【０００３】
具体的には、自動モードが選択されているときには、測定対象体の仕様に関する情報を記憶しているＰＣカード（メモリ）がカードアダプタに装着された際に、ＰＣカードに記憶されている情報に基づき、マイコン部が測定対象体の仕様に応じたレンジに切り換え制御する。一方、手動モードが選択されているときには、キー操作部の絶縁抵抗レンジキーが操作された際に、マイコン部が絶縁抵抗測定部を制御してキー操作に対応するレンジ（キー操作によって指定されたレンジ）に切り換え制御する。また、マイコン部は、自動設定モードおよび手動設定モードのいずれにおいても、前述した４つの各測定信号に対応付けられている４つのＬＥＤランプのうちの指定されたレンジに対応する１つを点灯させる。これにより、いずれのレンジが指定されているかを利用者に認識させることが可能となっている。この後、指定されたレンジにおける測定処理が実行されて測定対象体の絶縁抵抗値が測定される。
【特許文献１】特開平１０−２８８６３６号公報（第３−４頁、第１−３図）
【発明の開示】
【発明が解決しようとする課題】
【０００４】
ところが、従来の測定装置には、以下の問題点がある。すなわち、従来の測定装置では、各種電圧値の測定信号を出力可能に構成されると共に、測定処理に際して絶縁抵抗レンジキーのキー操作によって指定された電圧値の測定信号を出力するように構成されている。したがって、電源電圧が１００Ｖ仕様の電気製品を測定対象体とする測定処理時に、キー操作を誤り、測定信号の電圧値として１０００Ｖを指定した際には、測定対象体に１０００Ｖの測定信号が出力される。このため、従来の測定装置には、測定処理に際して出力させる測定信号の電圧値の指定を誤り、これに起因して測定対象体の破損を招くおそれがある。この場合、１種類の電圧値の測定信号のみを出力可能に構成した複数種類の測定装置（例えば、１０００Ｖ用測定装置、５００Ｖ用測定装置、２５０Ｖ用測定装置および１００Ｖ用測定装置の４種類の測定装置）を製造することにより、電圧値の指定誤りに起因する測定対象体の破損を回避することが可能となる。しかし、出力する測定信号の電圧値が相違する複数種類の測定装置を製造する場合には、各測定装置の製造コストが高騰するという問題が生じる。
【０００５】
また、この種の測定装置の使用に際しては、出力可能な測定信号の全種類（すべての電圧値の測定信号）を利用して測定処理するといった使用形態は比較的希な例であって、一般的には、単一の利用者によって利用される測定信号の電圧値や、所定の期間内にその測定装置において利用される測定信号の電圧値の種類は限られている。しかし、従来の測定装置では、絶縁抵抗測定部から出力可能な各電圧値の測定信号のいずれでも電圧値の指定によって出力させることが可能となっている。したがって、例えば１００Ｖの測定信号と２５０Ｖの測定信号との２種類のみを用いる利用者等にとっては、使用する可能性のある測定信号の種類数よりも多い電圧値の中からいずれかの電圧値を指定しなければならないため、従来の測定装置には、出力させる測定信号の電圧値の指定作業が却って煩雑であるという問題点が存在する。
【０００６】
本発明は、かかる問題点に鑑みてなされたものであり、製造コストの高騰を招くことなく測定対象体の破損を回避し得る絶縁抵抗測定装置を提供することを主目的とする。また、測定時に用いる測定信号の電圧値を容易に指定し得る絶縁抵抗測定装置を提供することを他の目的とする。
【課題を解決するための手段】
【０００７】
上記目的を達成すべく請求項１記載の絶縁抵抗測定装置は、複数種類の電圧値のうちのいずれかの電圧値の測定信号を用いて絶縁抵抗値を測定する測定部と、指定された電圧値の前記測定信号を用いた前記絶縁抵抗値の測定を前記測定部に実行させる制御部と、前記複数種類の電圧値についての指定の許容および解除を行うための操作部とを備え、前記制御部は、前記操作部によって前記指定を許容された電圧値に対応する文字列を表示部に表示させると共に当該操作部によって前記指定の許容を解除された電圧値に対応する文字列を当該表示部に非表示とさせ、かつ前記指定を許容された電圧値が指定されたときにのみ当該指定された電圧値の測定信号を用いた前記測定を前記測定部に実行させる。
【発明の効果】
【０００９】
請求項１記載の絶縁抵抗測定装置によれば、指定を許容された電圧値が指定されたときにのみ制御部が指定された電圧値の測定信号を用いた測定を測定部に実行させることにより、測定対象体（電気製品等）の仕様に応じて（測定条件に応じて）指定を許容する電圧値を予め設定しておくことで、指定を誤って測定対象体の破損を招くような電圧値の測定信号を用いた測定処理が実行される事態を回避することができる。この場合、利用者毎に指定を許容する電圧値の設定を操作部を操作して変更するだけで所望の電圧値の測定信号を用いた測定処理を実行させることができる。このため、測定処理時に用いる測定信号の電圧値が相違する複数種類の測定装置を製造するのとは異なり、製造コストの高騰を回避しつつ、測定条件に応じた測定が可能な測定装置を提供することができる。
【００１０】
また、この絶縁抵抗測定装置によれば、制御部が操作部によって指定を許容された電圧値に対応する文字列を表示部に表示させると共に操作部によって指定の許容を解除された電圧値に対応する文字列を表示部に非表示とさせることにより、いずれの電圧値を指定可能であるかを利用者に対して確実かつ容易に認識させることができる。したがって、測定処理に際して用いる測定信号の電圧値を正確かつ容易に指定することができる。
【発明を実施するための最良の形態】
【００１１】
以下、添付図面を参照して、本発明に係る絶縁抵抗測定装置の最良の形態について説明する。
【００１２】
最初に、絶縁抵抗計１の構成について、図面を参照して説明する。
【００１３】
図１に示す絶縁抵抗計１は、本発明に係る絶縁抵抗測定装置の一例であって、抵抗測定部２、操作部３、表示部４、制御部５および記憶部６を備えて構成されている。抵抗測定部２は、本発明における測定部に相当し、信号生成部８、電流測定部９および演算部１０を備えている。信号生成部８は、一例として、２５Ｖ、５０Ｖ、１２５Ｖ、２５０Ｖ、５００Ｖおよび１０００Ｖの６種類の電圧値の測定信号Ｓを生成可能に構成されて、制御部５の制御に従い、利用者が指定した電圧値の測定信号Ｓを生成して測定ケーブル７を介して測定対象体に出力する。電流測定部９は、信号生成部８から出力された測定信号Ｓの電流値を測定して測定結果を演算部１０に出力する。演算部１０は、電流測定部９による測定結果と、信号生成部８から出力された測定信号Ｓの電圧値とに基づいて測定対象体の絶縁抵抗値を演算して制御部５に出力する。操作部３は、図２に示すように、アップスイッチ１１ａ、ダウンスイッチ１１ｂ、許容スイッチ１２、解除スイッチ１３および測定開始スイッチ１４等の各種操作スイッチを備えて構成されている。
【００１４】
表示部４は、一例としてＬＣＤパネルで構成され、制御部５の制御に従い、図２〜４に示す各種表示画面を表示する。この場合、表示部４に表示される表示画面は、測定処理に際して抵抗測定部２から出力させる測定信号Ｓの電圧値としての指定を許容されている各電圧値についての指定候補を表示する指定候補表示領域２１と、演算部１０による演算結果（すなわち、絶縁抵抗値）を表示する測定結果表示領域２２とで構成されている。制御部５は、測定処理に際して信号生成部８を制御して利用者が指定した電圧値の測定信号Ｓを出力させると共に、電流測定部９を制御して測定信号Ｓの電流値を測定させ、演算部１０を制御して測定対象体の絶縁抵抗値を演算させる。また、制御部５は、絶縁抵抗計１の動作条件設定の１つとして、測定処理時に抵抗測定部２からの出力を許容する（測定に用いる測定信号Ｓの電圧値としての指定を許容する）電圧値を規定する処理を実行し、その結果を記憶部６に記憶させる。記憶部６は、測定処理時に抵抗測定部２からの出力を許容された測定信号Ｓの電圧値を特定可能な情報や、制御部５の動作プログラムなどを記憶する。
【００１５】
次に、絶縁抵抗計１の使用方法について、図面を参照して説明する。
【００１６】
この絶縁抵抗計１に使用に際しては、まず、前述した６種類の電圧値のうちから測定処理に際しての使用を許容する（測定時に用いる測定信号Ｓの電圧値としての指定を許容する）電圧値を規定する。具体的には、操作部３の所定のスイッチを操作することにより、図３に示すように、測定条件を設定するための表示画面を表示部４に表示させる。この場合、この絶縁抵抗計１では、工場出荷状態において、一例として、前述した６種類の電圧値のすべてについて、その指定が許容されている。したがって、指定候補表示領域２１には、６種類の電圧値を表す「２５Ｖ」、「５０Ｖ」、「１２５Ｖ」、「２５０Ｖ」、「５００Ｖ」および「１０００Ｖ」の文字列（各測定信号Ｓの電圧値）が例えば黒色で表示される。次いで、アップスイッチ１１ａ、ダウンスイッチ１１ｂ、許容スイッチ１２および解除スイッチ１３を操作することにより、６種類の電圧値のうちから、測定処理に際して指定を許容する電圧値を選択する。
【００１７】
この場合、例えば、２５Ｖ、５０Ｖ、１２５Ｖ、５００Ｖおよび１０００Ｖの５つの電圧値の指定を規制する（指定が許容されている状態を解除する）と共に２５０Ｖの電圧値の指定を許容するときには、まず、図３に示すように、カーソル２０を「２５Ｖ」の文字列上に位置させた状態において解除スイッチ１３を操作する。この際に、制御部５は、２５Ｖの指定が規制されたと判別してその旨を記憶部６に記憶させると共に、表示部４を制御して指定候補表示領域２１内の「２５Ｖ」の文字列を例えば灰色で表示させる。次いで、ダウンスイッチ１１ｂを操作してカーソル２０を「５０Ｖ」の文字列上に移動させた状態において解除スイッチ１３を操作した後に、ダウンスイッチ１１ｂを操作してカーソル２０を「１２５Ｖ」の文字列上に移動させた状態において解除スイッチ１３を操作する。続いて、ダウンスイッチ１１ｂを操作することにより、図４に示すように、カーソル２０を「５００Ｖ」の文字列上に移動させた状態において解除スイッチ１３を操作した後に、ダウンスイッチ１１ｂを操作してカーソル２０を「１０００Ｖ」の文字列上に移動させた状態において解除スイッチ１３を操作する。なお、同図では、指定が規制された電圧値に対応する文字列（灰色で表示された文字列）を破線で図示している。
【００１８】
このように、指定を規制すべき電圧値に対応する文字列上にカーソル２０を移動させた状態で解除スイッチ１３を操作することにより、工場出荷状態において指定が許容されていた６種類の電圧値のうちの任意の電圧値（この例では、２５Ｖ、５０Ｖ、１２５Ｖ、５００Ｖおよび１０００Ｖの５つの電圧値）の指定を規制する（指定が許容されている状態を解除する）ことができる。また、指定を規制した電圧値について、その指定を再び許容する際には、許容スイッチ１２を操作する。具体的には、例えば上記の設定操作において指定を規制した１２５Ｖの電圧値についての指定を再び許容する際には、カーソル２０を「１２５Ｖ」の文字列上に移動させた状態において許容スイッチ１２を操作する。この際に、制御部５は、１２５Ｖの指定が許容されたと判別してその旨を記憶部６に記憶させると共に、表示部４を制御して指定候補表示領域２１内の「１２５Ｖ」の文字列を黒色で表示させる。この後、測定条件の設定処理を終了するために操作部３の所定のスイッチを操作したときには、図２に示すように、制御部５は、指定が許容されている電圧値に対応する文字列を黒色で表示させた状態を維持させつつ、指定が規制された（指定の許容が解除された）電圧値に対応する文字列が非表示となるように表示部４を制御する。
【００１９】
一方、電気製品等の測定対象体についての絶縁抵抗値を測定する際には、まず、アップスイッチ１１ａおよびダウンスイッチ１１ｂを操作して、測定対象体に出力すべき測定信号Ｓの電圧値を指定する。具体的には、例えば２５０Ｖの電圧値を指定する際には、ダウンスイッチ１１ｂまたはアップスイッチ１１ａを操作することにより、２５０Ｖの電圧値に対応する「２５０Ｖ」の文字列上にカーソル２０を移動させる。この際に、制御部５は、アップスイッチ１１ａまたはダウンスイッチ１１ｂの操作時に、記憶部６に記憶されている情報に基づき、指定を許容されている電圧値に対応する文字列のみをカーソル２０によって選択可能に、つまり、非表示となっている文字列（この例では、「２５Ｖ」、「５０Ｖ」、「５００Ｖ」および「１０００Ｖ」の文字列）が表示されていた部位にカーソル２０が移動しないように表示部４を制御する。この結果、指定が許容されている電圧値、すなわち、信号生成部８からの出力が許容されている測定信号の電圧値（この例では、１２５Ｖおよび２５０Ｖの測定信号Ｓ）のみの指定が可能となる。
【００２０】
次いで、測定開始スイッチ１４を操作することによって絶縁抵抗値の測定を開始させる。この際に、制御部５は、信号生成部８を制御して２５０Ｖの測定信号Ｓを生成させて測定ケーブル７を介して測定対象体に出力させると共に、電流測定部９を制御して、測定対象体を流れる電流値を測定させる。また、演算部１０は、制御部５の制御に従い、電流測定部９による測定結果と、信号生成部８から出力された測定信号Ｓの電圧値とに基づいて測定対象体の絶縁抵抗値を演算する。この結果、表示部４の測定結果表示領域２２に例えば「１０ＭΩ」との絶縁抵抗値が表示されて、測定処理が完了する。
【００２１】
なお、前述した測定条件の設定処理時に指定を規制した（指定の許容を解除した）電圧値について、その指定を再び許容する際には、まず、操作部３の所定のスイッチを操作することで測定条件を設定するための表示画面を表示部４に表示させる。次いで、アップスイッチ１１ａおよびダウンスイッチ１１ｂのいずれかを操作して所望の電圧値（指定を規制されている電圧値）を表す文字列上にカーソル２０を位置させて許容スイッチ１２を操作する。この際に、制御部５は、その電圧値の指定が許容されたと判別してその旨を記憶部６に記憶させると共に、表示部４を制御して指定候補表示領域２１内の対応する文字列を黒色で表示させる。これにより、新たに指定を許容した電圧値の測定信号Ｓを用いた測定処理を実行可能な状態となる。一方、測定条件の設定処理時に指定を許容した状態を維持した電圧値について、その指定を規制する際には、まず、測定条件を設定するための表示画面を表示部４に表示させると共に、所望の電圧値（指定を許容されている電圧値）を表す文字列上にカーソル２０を位置させ、その状態において解除スイッチ１３を操作する。この際に、制御部５は、その電圧値の指定が規制されたと判別してその旨を記憶部６に記憶させると共に、表示部４を制御して指定候補表示領域２１内の対応する文字列を灰色で表示させる。これにより、新たに指定を規制した電圧値についての測定処理時における指定が規制される。
【００２２】
このように、この絶縁抵抗計１によれば、所定のスイッチ（許容スイッチ１２）によるスイッチ操作によって指定を予め許容された電圧値が所定のスイッチ（ダウンスイッチ１１ｂ（またはアップスイッチ１１ａ）および測定開始スイッチ１４）によるスイッチ操作によって指定されたときにのみ制御部５が指定された電圧値の測定信号を用いた測定を抵抗測定部２に実行させることにより、測定対象体（電気製品等）の仕様に応じて（測定条件に応じて）指定を許容する電圧値を予め設定しておくことで、指定を誤って測定対象体の破損を招くような電圧値の測定信号Ｓを用いた測定処理が実行される事態を回避することができる。この場合、利用者毎に指定を許容する電圧値の設定を変更するだけで所望の電圧値の測定信号Ｓを用いた測定処理を実行させることができる。このため、測定処理時に用いる測定信号Ｓの電圧値が相違する複数種類の測定装置を製造するのとは異なり、製造コストの高騰を回避しつつ、測定条件に応じた測定が可能な測定装置を提供することができる。
【００２３】
また、この絶縁抵抗計１によれば、制御部５が指定を許容された電圧値を特定可能に表示部４に表示させることにより、いずれの電圧値を指定可能であるかを利用者に対して確実かつ容易に認識させることができる。したがって、測定処理に際して用いる測定信号Ｓの電圧値を正確かつ容易に指定することができる。
【００２４】
なお、本発明は、上記の構成に限定されない。例えば、工場出荷状態において６種類のすべての電圧値の指定が許容された状態において、利用者が測定条件に応じて指定を許容する電圧値を選択して設定する例について説明したが、製造者および販売者等が利用者毎の測定条件に応じて指定を許容する電圧値を選択して設定しておくこともできる。また、上記の絶縁抵抗計１では、解除スイッチ１３の操作によって対応する電圧値の指定を規制すると共に、許容スイッチ１２の操作によって対応する電圧値の指定を許容する構成を採用しているが、例えば、単一のスイッチの操作によって指定の規制および許容が順繰りに切り換え可能に構成することもできる。
【００２５】
また、上記の絶縁抵抗計１では、同一の画面内に指定候補表示領域２１および測定結果表示領域２２を規定して信号情報と測定結果とを並べて表示させる構成を採用しているが、信号情報と測定結果とを別個独立して表示させるように構成することもできる。さらに、本発明における信号情報や測定結果を表示するための表示部は、本発明に係る絶縁抵抗測定装置に必須の構成要件ではなく、絶縁抵抗計１における表示部４に代えて、外部装置としてのモニタに信号情報や測定結果を表示する構成を採用することもできる。
【図面の簡単な説明】
【００２６】
【図１】絶縁抵抗計１の構成を示すブロック図である。
【図２】絶縁抵抗計１の正面図である。
【図３】指定候補表示領域２１に複数の指定候補を表示させている状態の絶縁抵抗計１の正面図である。
【図４】指定候補表示領域２１に複数の指定候補を表示させている状態の絶縁抵抗計１の他の正面図である。
【符号の説明】
【００２７】
１  絶縁抵抗計
２  抵抗測定部
３  操作部
４  表示部
５  制御部
８  信号生成部
９  電流測定部
１０  演算部
１１ａ  アップスイッチ
１１ｂ  ダウンスイッチ
１２  許容スイッチ
１３  解除スイッチ
２０  カーソル
２１  指定候補表示領域
Ｓ  測定信号
【図１】
0004726575.tif 000002
【図２】
0004726575.tif 000003
【図３】
0004726575.tif 000004
【図４】
0004726575.tif 000005